(57)【特許請求の範囲】
【請求項１】
両側壁と底壁とにより上面が開口した断面コ字形に形成されアウト球が流送する樋本体と、前記樋本体の上面に装着する蓋部材とからなり、一端側が下り傾斜するように配置されたパチンコ機設置島におけるアウト球流送樋において、
前記蓋部材にはその全面に適宜間隔を保持してアウト球の直径より大きく硬貨の直径より小さい透孔を多数穿設すると共に、該蓋部材の上面に長さ方向と直角の方向に適当間隔でアウト球や異物の流れを止める仕切片を突設し、且つ該蓋部材の長さ方向の両側に下方へ直角に曲折する嵌合片を形成し、
他方、前記樋本体の両側壁の内側上部には前記蓋部材の嵌合片を嵌める凹溝を形成し、
さらに、前記蓋部材を前記樋本体に装着した状態で該蓋部材の上面が該樋本体の両側壁の上端より低くなるようにしたことを特徴とするパチンコ機設置島におけるアウト球流送樋。
【請求項２】
前記蓋部材を前記樋本体の凹溝に嵌めることにより該樋本体の全長に亘って連続状態で繋ぎ合わせて装着できるようにしたことを特徴とする請求項１記載のパチンコ機設置島におけるアウト球流送樋。
【発明の詳細な説明】
【０００１】
【発明の属する技術分野】
本発明は、多数のパチンコ機が並設されたパチンコ機設置島において、各パチンコ機から排出されるアウト球を集合して流送するアウト球流送樋に関するものである。
【０００２】
【従来の技術】
従来、多数のパチンコ機が並設されたパチンコ機設置島においては、各パチンコ機から排出されるアウト球をアウト球流送樋を介して一個所に集球し、その集球したアウト球をパチンコ機設置島の中央に配設された球磨揚送機によって研摩しながら揚送して再び各パチンコ機に還元補給したり、地下誘導管に落したり又はリフトアップされ天井裏を介して集球場所に運ぶようにされている。
【０００３】
【発明が解決しようとする課題】
従来のアウト球流送樋は、上面が開口した樋状に形成され、各パチンコ機から排出されるアウト球をその開口上面から直接に落下させるようにしていた。また、アウト球流送樋はパチンコ機より下方に設置する必要があることからスペース的にアウト球が転がる最小限の傾斜で施工されている。このため、アウト球は十分に流れるものの例えば１００円，５００円等の硬貨や釘，ビス，パチンコ機部品等の異物がアウト球流送樋に落下して混入すると直ぐに球詰り現象が発生してアウト球が回収できなくなるという問題点があった。また、最近では台間球貸機にプリペイドカードを使用する傾向が多くなり、使用済みのカードをパチンコ機設置島内に落し込むという悪戯が多発している。
【０００４】
そこで、従来ではこのような問題点に対処するため、アウト球流送樋の上にネットを張って異物の落下を防止するようにしているが、このネットを張る作業が大掛りで手間が掛かる上、破れた場合のメンテナンスが大変であり、かつ経費が嵩む等その改善策が強く要望されているのが現状である。
【０００５】
本発明は、上記問題点にかんがみてなされたもので、その目的とするところは簡単な構造でアウト球流送樋に異物が混入するのを防止することにより球詰りの発生を無くすことができるようなパチンコ機設置島におけるアウト球流送樋を提供しようとするものである。
【０００６】
【課題を解決するための手段】
上記目的を達成するために、本発明に係るパチンコ機設置島におけるアウト球流送樋は、アウト球を流送する樋本体と該樋本体の上面に装着する蓋部材とからなり、前記蓋部材にはアウト球の直径より大きく硬貨の直径より小さい透孔を多数穿設してなることを特徴とするものである。
【０００７】
このため、各パチンコ機から排出されるアウト球は先ず蓋部材の上面に落下し、次いで蓋部材の透孔から樋本体に落下して集球場所に向けて円滑に流下する。一方、蓋部材の上面に硬貨やプリペイドカード等の異物が落下した場合、これらの異物は透孔を通らないため樋本体を流下するアウト球に混入するようなことがなくなり、球詰り現象を確実に防止することができるようになる。
【０００８】
前記蓋部材はパチンコ機の横巾のほぼ１／２程度の長さに形成するのが好ましい。また、蓋部材の上面に適当間隔でアウト球や異物の流れを止める仕切片を備えさせることが好ましい。このように蓋部材に仕切片を備えさせることによってアウト球を確実に透孔から樋本体に落下させることができると共に、蓋部材の上面に異物が落下して透孔を塞ぐようなことがあってもその異物が落下した蓋部材部分の詰りで対処できるのでトラブルの処置が簡単で短時間で済む。
【０００８】
【発明の実施の形態】
次に、図面を参照して本発明の実施の形態について説明する。まず、本発明の実施の形態のアウト球流送樋が適用されるパチンコ機設置島について図１を参照して説明する。図１において、パチンコ機設置島１は多数のパチンコ機２が背向きして並設され、その中央に球磨揚送機３が設けられている。一方、各パチンコ機２の下方には球磨揚送機３の下端に向かって下り傾斜するアウト球流送樋４が設けられ、各パチンコ機２から排出される使用済みのアウト球はアウト球流送樋４を介して球磨揚送機３に送られ上方の島タンク５に揚送される。そして、補給樋６を介して各パチンコ機２に還元補給するようになっている。
【０００９】
図２は、本発明に係るアウト球流送樋４の斜視図、図３はその分解斜視図、図４は断面側面図である。このアウト球流送樋４はアウト球を流送する樋本体４ａと該樋本体４ａの上面に装着する蓋部材４ｂとにより構成される。
【００１０】
前記樋本体４ａは両側壁７，７と底壁８とにより上面が開口した断面コ字形の樋状に形成し、その両側壁７，７の内側上部には蓋部材４ｂを嵌めるための凹溝９，９を形成する。なお、底壁８の上面は球径より狭い間隔で凹凸を突設してスノコ状に形成し、アウト球が整列して流下し得るようになっている。
【００１１】
前記蓋部材４ｂはパチンコ機２の横巾のほぼ１／２程度の長さとした板状材により形成し、その長さ方向の両側に下方へ直角に曲折する嵌合片１０，１０を形成する。また、蓋部材４ｂの全面には適宜な間隔を保持して透孔１１を多数穿設し、さらに蓋部材４ｂの長さ方向と直角の方向であり、かつ板状材の中央と左右の側端に仕切片１２を突設してある。
【００１２】
前記透孔１１は各パチンコ機２から排出されるアウト球を蓋部材４ｂの上面で受けて樋本体４ａに落下させるためのもので、その孔径はアウト球の直径より大きく１００円，５００円等の硬貨の直径より小さく形成される。また、仕切片１２は蓋部材４ｂの上面に落下する硬貨やプリペイドカード等の異物の流動を阻止し得る程度の高さに形成される。そして、前記蓋部材４ｂはそれぞれの嵌合片１０，１０を樋本体４ａの凹溝９，９に嵌めて連続状態で継なぎ合わせることにより樋本体４ａの全長に亘って装着する。なお、図４に示すように蓋部材４ｂを樋本体４ａに装着した状態においてアウト球が外へ零れ落ちないように蓋部材４ｂの上面が樋本体４ａの両側壁７，７上端より若干低くなるようにしてある。
【００１３】
しかして、各パチンコ機２から排出されるアウト球はそれぞれのパチンコ機２に対応する蓋部材４ｂの上面に落下し、さらに透孔１１から樋本体４ａに落下して集球個所に向けて流下する。一方、硬貨やプリペイドカード等の異物は蓋部材４ｂの上面で受けられて樋本体４ａへの落下が阻止されるため、該樋本体４ａを流下するアウト球に異物が混入するのを確実に防ぐことができる。
【００１４】
また、硬貨やプリペイドカード等の異物が蓋部材４ｂに落下しても仕切片１２によって異物の流動が阻止されるため、その異物が落下した蓋部材４ｂに対応するパチンコ機１台分の球詰りで対処できる。このため、異物がアウト球と一緒に流下して集球個所に詰まりパチンコ機設置島全体のアウト球の流下を止めるような事態を防ぐことができ、しかも異物の除去が簡単にできてトラブルの処置を短時間で済ますことができる。
【００１５】
なお、上記した実施の形態では蓋部材４ｂの長さをパチンコ機の１／２程度のものとして説明したが、特にその長さに限定されるものではない。また、図５に示すように樋本体４ａ，４ａを上下２段に積重ねて使用することも可能である。この場合、上段の樋本体４ａの下部両側に設けた脚片１３，１３を下段の樋本体４ａの凹溝９，９に嵌合させるもので、下段の樋本体４ａは景品交換球専用として使用する。
【００１６】
【発明の効果】
以上説明したように、本発明によれば、アウト球を流送する樋本体に蓋部材を装着すると共に、該蓋部材にアウト球は通すが硬貨やプリペイドカード等の異物の落下を阻止する透孔を多数穿設したものであるから、樋本体を流下するアウト球に異物が混入するのを確実に防ぐことができ、円滑なアウト球の流下を維持することができる。
【図面の簡単な説明】
【図１】本発明が適用されるパチンコ機設置島の概略正面図である。
【図２】本発明に係るアウト球流送樋の部分斜視図である。
【図３】図２の分解斜視図である。
【図４】図２の縦断側面図である。
【図５】アウト球流送樋を２段重ねにした状態の縦断側面図である。
【符号の説明】
４          アウト球流送樋
４ａ        樋本体
４ｂ        蓋部材
１１        透孔
【図１】
0003929516.tif 000002
【図２】
0003929516.tif 000003
【図３】
0003929516.tif 000004
【図４】
0003929516.tif 000005
【図５】
0003929516.tif 000006